【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
内燃機関の排気系にて排気浄化装置の上流から排気流中に還元剤を放出することにより前記排気浄化装置に還元剤を供給する添加弁及び該添加弁による還元剤の添加制御を行う添加制御手段を備え、該添加弁からの還元剤漏洩を排気系の空燃比に基づいて診断する添加弁診断装置であって、
内燃機関の排気系にて前記添加弁の下流に設けられた空燃比センサと、
内燃機関の排気系での還元剤の付着可能性を判定する還元剤付着可能性判定手段と、
前記還元剤付着可能性判定手段にて還元剤の付着可能性が高いと判定されている場合又は前記添加制御による前記添加弁からの添加時間が同添加弁の開固着と区別することのできない基準時間以上の状態であると判定されている場合には、前記空燃比センサにより検出される実測空燃比に基づく前記添加弁に対する正常判定を禁止する正常判定禁止手段と、
を備えたことを特徴とする内燃機関還元剤添加弁診断装置。
【請求項２】
請求項１において、前記還元剤付着可能性判定手段にて還元剤の付着可能性が低いと判定され、且つ前記添加制御による前記添加弁からの添加時間が同添加弁の開固着と区別することのできる前記基準時間未満の状態であると判定されている要件を、前記空燃比センサにより検出される実測空燃比に基づいて前記添加弁に対する正常判定を実行するための必須要件としている正常判定手段を備えたことを特徴とする内燃機関還元剤添加弁診断装置。
【請求項３】
請求項１又は２において、前記基準時間は「０」であることを特徴とする内燃機関還元剤添加弁診断装置。
【請求項４】
請求項１〜３のいずれか一項において、内燃機関の排気系に温度検出手段を備え、前記還元剤付着可能性判定手段は、前記温度検出手段にて検出された温度が付着判定基準温度より低い場合は還元剤の付着可能性が高いと判定することを特徴とする内燃機関還元剤添加弁診断装置。
【請求項５】
請求項１〜４のいずれか一項において、内燃機関の排気系に温度検出手段を備え、前記還元剤付着可能性判定手段は、前記温度検出手段にて検出された温度が付着判定基準温度より高い場合は還元剤の付着可能性が低いと判定することを特徴とする内燃機関還元剤添加弁診断装置。
【請求項６】
請求項４又は５において、前記温度検出手段は、排気温度を検出することを特徴とする内燃機関還元剤添加弁診断装置。
【請求項７】
請求項１〜３のいずれか一項において、内燃機関の吸気系又は排気系にガス流量検出手段を備え、前記還元剤付着可能性判定手段は、前記ガス流量検出手段にて検出されたガス流量が付着判定基準流量より少ない場合には還元剤の付着可能性が高いと判定することを特徴とする内燃機関還元剤添加弁診断装置。
【請求項８】
請求項１〜３及び７のいずれか一項において、内燃機関の吸気系又は排気系にガス流量検出手段を備え、前記還元剤付着可能性判定手段は、前記ガス流量検出手段にて検出されたガス流量が付着判定基準流量より多い場合には還元剤の付着可能性が低いと判定することを特徴とする内燃機関還元剤添加弁診断装置。
【請求項９】
請求項１〜３のいずれか一項において、内燃機関の吸気系又は排気系にガス流量検出手段を備え、かつ内燃機関の排気系に温度検出手段を備え、前記還元剤付着可能性判定手段は、前記温度検出手段にて検出された温度が付着判定基準温度より低い、あるいは前記ガス流量検出手段にて検出されたガス流量が付着判定基準流量より少ない場合には還元剤の付着可能性が高いと判定することを特徴とする内燃機関還元剤添加弁診断装置。
【請求項１０】
請求項１〜３及び９のいずれか一項において、内燃機関の吸気系又は排気系にガス流量検出手段を備え、かつ内燃機関の排気系に温度検出手段を備え、前記還元剤付着可能性判定手段は、前記温度検出手段にて検出された温度が付着判定基準温度より高く、かつ前記ガス流量検出手段にて検出されたガス流量が付着判定基準流量より多い場合には還元剤の付着可能性が低いと判定することを特徴とする内燃機関還元剤添加弁診断装置。
【請求項１１】
請求項１〜１０のいずれか一項において、内燃機関の排気系に配置した温度検出手段と前記添加弁からの還元剤漏洩を前記温度検出手段にて検出された温度に基づいて診断する第２診断手段とを備え、前記正常判定禁止手段は、前記還元剤付着可能性判定手段にて還元剤の付着可能性が高いと判定されている条件と、第２診断手段にて正常と判定されていない条件との論理和条件を満足している場合に、前記空燃比センサにより検出される実測空燃比に基づく前記添加弁に対する正常判定を禁止することを特徴とする内燃機関還元剤添加弁診断装置。
【請求項１２】
請求項２〜１１のいずれか一項において、内燃機関の排気系に配置した温度検出手段と前記添加弁からの還元剤漏洩を前記温度検出手段にて検出された温度に基づいて診断する第２診断手段を備え、前記正常判定手段は、前記還元剤付着可能性判定手段にて還元剤の付着可能性が低いと判定されている条件と、第２診断手段にて正常と判定されている条件との論理積条件を、前記空燃比センサにより検出される実測空燃比に基づいて前記添加弁に対する正常判定を実行するための必須要件としていることを特徴とする内燃機関還元剤添加弁診断装置。
【手続補正２】
【補正対象書類名】明細書
【補正対象項目名】０００７
【補正方法】変更
【補正の内容】
【０００７】
以下、上記目的を達成するための手段及びその作用効果について記載する。
請求項１に記載の内燃機関還元剤添加弁診断装置は、内燃機関の排気系にて排気浄化装置の上流から排気流中に還元剤を放出することにより前記排気浄化装置に還元剤を供給する添加弁及び該添加弁による還元剤の添加制御を行う添加制御手段を備え、該添加弁からの還元剤漏洩を排気系の空燃比に基づいて診断する添加弁診断装置であって、内燃機関の排気系にて前記添加弁の下流に設けられた空燃比センサと、内燃機関の排気系での還元剤の付着可能性を判定する還元剤付着可能性判定手段と、前記還元剤付着可能性判定手段にて還元剤の付着可能性が高いと判定されている場合又は前記添加制御による前記添加弁からの添加時間が同添加弁の開固着と区別することのできない基準時間以上の状態であると判定されている場合には、前記空燃比センサにより検出される実測空燃比に基づく前記添加弁に対する正常判定を禁止する正常判定禁止手段と、を備えたことを特徴とする。
【手続補正３】
【補正対象書類名】明細書
【補正対象項目名】０００８
【補正方法】変更
【補正の内容】
【０００８】
このように添加弁診断装置は、添加弁からの還元剤漏洩を排気系の空燃比に基づいて診断するものであるため、燃料添加処理時に限られない。
更に還元剤付着可能性判定手段にて還元剤の付着可能性が高いと判定されている場合又は添加制御による添加弁からの添加時間が同添加弁の開固着と区別することのできない基準時間以上の状態であると判定されている場合には、正常判定禁止手段は、空燃比センサにより検出される実測空燃比に基づく添加弁に対する正常判定を禁止している。このことから添加弁が開固着状態であるにもかかわらず正常判定されることがない。
【手続補正４】
【補正対象書類名】明細書
【補正対象項目名】０００９
【補正方法】変更
【補正の内容】
【０００９】
請求項２に記載の内燃機関還元剤添加弁診断装置では、請求項１において、前記還元剤付着可能性判定手段にて還元剤の付着可能性が低いと判定され、且つ前記添加制御による前記添加弁からの添加時間が同添加弁の開固着と区別することのできる前記基準時間未満の状態であると判定されている要件を、前記空燃比センサにより検出される実測空燃比に基づいて前記添加弁に対する正常判定を実行するための必須要件としている正常判定手段を備えたことを特徴とする。
【手続補正５】
【補正対象書類名】明細書
【補正対象項目名】００１０
【補正方法】変更
【補正の内容】
【００１０】
正常判定手段は、実測空燃比に基づいて正常判定するために、還元剤の付着可能性が低いと判定され、且つ添加制御による添加弁からの添加時間が同添加弁の開固着と区別することのできる基準時間未満の状態であると判定されていることを必須要件としていることから、正常判定手段による正常判定の確実性が非常に高いものとなり、添加弁に対して高精度な正常判定を実行することができる。
請求項１又は２に記載の発明は、請求項３に記載の発明によるように、前記基準時間は「０」であるといった態様をもって具体化することができる。
【手続補正６】
【補正対象書類名】明細書
【補正対象項目名】００１１
【補正方法】変更
【補正の内容】
【００１１】
請求項４に記載の内燃機関還元剤添加弁診断装置では、請求項１〜３のいずれか一項において、内燃機関の排気系に温度検出手段を備え、前記還元剤付着可能性判定手段は、前記温度検出手段にて検出された温度が付着判定基準温度より低い場合は還元剤の付着可能性が高いと判定することを特徴とする。
【手続補正７】
【補正対象書類名】明細書
【補正対象項目名】００１３
【補正方法】変更
【補正の内容】
【００１３】
しかも付着可能性は排気系の温度にて判定しているので複雑な演算処理を実行することなく、簡易な処理で排気系への還元剤の付着状態を容易に判定できる。
請求項５に記載の内燃機関還元剤添加弁診断装置では、請求項１〜４のいずれか一項において、内燃機関の排気系に温度検出手段を備え、前記還元剤付着可能性判定手段は、前記温度検出手段にて検出された温度が付着判定基準温度より高い場合は還元剤の付着可能性が低いと判定することを特徴とする。
【手続補正８】
【補正対象書類名】明細書
【補正対象項目名】００１５
【補正方法】変更
【補正の内容】
【００１５】
しかも付着可能性は排気系の温度にて判定しているので複雑な演算処理を実行することなく、簡易な処理で排気系への還元剤の付着状態を容易に判定できる。
請求項６に記載の内燃機関還元剤添加弁診断装置では、請求項４又は５において、前記温度検出手段は、排気温度を検出することを特徴とする。
【手続補正９】
【補正対象書類名】明細書
【補正対象項目名】００１６
【補正方法】変更
【補正の内容】
【００１６】
このように排気温度を検出することにより、複雑な演算処理を実行することなく、簡易な処理で排気系への還元剤の付着状態を容易に判定できる。
請求項７に記載の内燃機関還元剤添加弁診断装置では、請求項１〜３のいずれか一項において、内燃機関の吸気系又は排気系にガス流量検出手段を備え、前記還元剤付着可能性判定手段は、前記ガス流量検出手段にて検出されたガス流量が付着判定基準流量より少ない場合には還元剤の付着可能性が高いと判定することを特徴とする。
【手続補正１０】
【補正対象書類名】明細書
【補正対象項目名】００１９
【補正方法】変更
【補正の内容】
【００１９】
しかも複雑な演算処理を実行することなく、簡易な処理で排気系への還元剤の付着状態を容易に判定できる。
請求項８に記載の内燃機関還元剤添加弁診断装置では、請求項１〜３及び７のいずれか一項において、内燃機関の吸気系又は排気系にガス流量検出手段を備え、前記還元剤付着可能性判定手段は、前記ガス流量検出手段にて検出されたガス流量が付着判定基準流量より多い場合には還元剤の付着可能性が低いと判定することを特徴とする。
【手続補正１１】
【補正対象書類名】明細書
【補正対象項目名】００２１
【補正方法】変更
【補正の内容】
【００２１】
しかも複雑な演算処理を実行することなく、簡易な処理で排気系への還元剤の付着状態を容易に判定できる。
請求項９に記載の内燃機関還元剤添加弁診断装置では、請求項１〜３のいずれか一項において、内燃機関の吸気系又は排気系にガス流量検出手段を備え、かつ内燃機関の排気系に温度検出手段を備え、前記還元剤付着可能性判定手段は、前記温度検出手段にて検出された温度が付着判定基準温度より低い、あるいは前記ガス流量検出手段にて検出されたガス流量が付着判定基準流量より少ない場合には還元剤の付着可能性が高いと判定することを特徴とする。
【手続補正１２】
【補正対象書類名】明細書
【補正対象項目名】００２３
【補正方法】変更
【補正の内容】
【００２３】
しかも複雑な演算処理を実行することなく、簡易な処理で排気系への還元剤の付着状態を容易に、かつより適切に判定できる。
請求項１０に記載の内燃機関還元剤添加弁診断装置では、請求項１〜３及び９のいずれか一項において、内燃機関の吸気系又は排気系にガス流量検出手段を備え、かつ内燃機関の排気系に温度検出手段を備え、前記還元剤付着可能性判定手段は、前記温度検出手段にて検出された温度が付着判定基準温度より高く、かつ前記ガス流量検出手段にて検出されたガス流量が付着判定基準流量より多い場合には還元剤の付着可能性が低いと判定することを特徴とする。
【手続補正１３】
【補正対象書類名】明細書
【補正対象項目名】００２５
【補正方法】変更
【補正の内容】
【００２５】
しかも複雑な演算処理を実行することなく、簡易な処理で排気系への還元剤の付着状態を容易に、かつより適切に判定できる。
請求項１１に記載の内燃機関還元剤添加弁診断装置では、請求項１〜１０のいずれか一項において、内燃機関の排気系に配置した温度検出手段と前記添加弁からの還元剤漏洩を前記温度検出手段にて検出された温度に基づいて診断する第２診断手段とを備え、前記正常判定禁止手段は、前記還元剤付着可能性判定手段にて還元剤の付着可能性が高いと判定されている条件と、第２診断手段にて正常と判定されていない条件との論理和条件を満足している場合に、前記空燃比センサにより検出される実測空燃比に基づく前記添加弁に対する正常判定を禁止することを特徴とする。
【手続補正１４】
【補正対象書類名】明細書
【補正対象項目名】００２７
【補正方法】変更
【補正の内容】
【００２７】
請求項１２に記載の内燃機関還元剤添加弁診断装置では、請求項２〜１１のいずれか一項において、内燃機関の排気系に配置した温度検出手段と前記添加弁からの還元剤漏洩を前記温度検出手段にて検出された温度に基づいて診断する第２診断手段を備え、前記正常判定手段は、前記還元剤付着可能性判定手段にて還元剤の付着可能性が低いと判定されている条件と、第２診断手段にて正常と判定されている条件との論理積条件を、前記空燃比センサにより検出される実測空燃比に基づいて前記添加弁に対する正常判定を実行するための必須要件としていることを特徴とする。